(57)【要約】      （修正有）【課題】無線通信システムにおいて可変伝送を送るための技術を提供する。【解決手段】スーパフレームにおいて送られる物理チャネルが識別され、スーパフレームにおけるタイムスロットに割り当てられる。各物理チャネルについての符号化及び変調はその容量に基づいて選択される。各物理チャネルについてのデータは、例えば、リードソロモン符号のような外側符号レートに基づいて選択的に符号化され、さらに、例えば、ターボ符号のような内側符号レートに基づいて符号化される。各物理チャネルについて符号化されたデータは、選択された変調スキームに基づいて変調シンボルにマップされる。各物理チャネルについての変調シンボルは、さらに処理され（例えば、ＯＦＤＭ変調され）、物理チャネルに割り当てられたタイムスロットに多重化される。【選択図】図８
2011091817.tif 000002
【特許請求の範囲】
【請求項１】
複数のタイムスロットが含まれるスーパフレームにおいて送信される少なくとも１つの物理チャネルを認識し、スーパフレームにおける少なくとも２つのタイムスロットを前記少なくとも１つの物理チャネルのそれぞれに割り当て、前記少なくとも１つの物理チャネルのそれぞれのための符号化及び変調を選択するコントローラと、
前記物理チャネルについて選択された符号化及び変調に基づいて、各物理チャネルについてのデータを処理し、各物理チャネルについて処理されたデータを前記物理チャネルに割り当てられた少なくとも２つのタイムスロットに多重化するプロセッサと
を具備する装置。
【請求項２】
前記スーパフレームは、少なくとも２つの外側フレームを有し、各外側フレームは複数のタイムスロットを有し、各物理チャネルに割り当てられた前記少なくとも２つのタイムスロットは前記スーパフレームの各外側フレームにおける少なくとも１つのタイムスロットを有する請求項１記載の装置。
【請求項３】
前記スーパフレームは、少なくとも２つの外側フレームを有し、各外側フレームは複数のタイムスロットを有し、各物理チャネルは最小スロット割り当ての整数倍に割り当てられ、前記最小スロット割り当てはスーパフレームの各外側フレームにおける１つのタイムスロットである請求項１記載の装置。
【請求項４】
１つのトランスポートブロックはスーパフレームにおける各最小スロット割り当てのために送られる請求項３記載の装置。
【請求項５】
各物理チャネルに割り当てられた前記少なくとも２つのタイムスロットは前記スーパフレーム全体に渡って均一に分散されている請求項１記載の装置。
【請求項６】
前記コントローラは各物理チャネルの容量を決定し、さらに、前記物理チャネルの容量に基づいて各物理チャネルについての符号化及び変調を選択する請求項１記載の装置。
【請求項７】
前記コントローラは各物理チャネルについての複数のトランスポートブロックサイズの中からトランスポートブロックサイズを選択し、前記物理チャネルについての前記トランスポートブロックサイズに基づいて各物理チャネルについての符号化及び変調をさらに選択する請求項１記載の装置。
【請求項８】
各物理チャネルについての符号化及び変調は、前記スーパフレームの持続時間のために固定されている請求項１記載の装置。
【請求項９】
前記プロセッサは前記物理チャネルについて選択された全体的な符号レートに基づいて、各物理チャネルについてのデータを符号化し、さらに、前記物理チャネルについて選択された変調スキームに基づいて、各物理チャネルについて符号化されたデータを変調シンボルにマップする請求項１記載の装置。
【請求項１０】
前記プロセッサは、外側符号レートに基づいて各物理チャネルについてのデータを選択的に符号化して、各物理チャネルについての外側符号化されたデータを生成し、さらに、内側符号レートに基づいて各物理チャネルについて外側符号化されたデータを符号化し、前記各物理チャネルについての符号化されたデータを生成する請求項９記載の装置。
【請求項１１】
各物理チャネルについての外側符号レート及び内側符号レートは前記物理チャネルについて選択された全体的な符号レートによって決定される請求項１０記載の装置。
【請求項１２】
前記プロセッサは、リードソロモン符号に基づいて、各物理チャネルについてのデータを選択的に符号化して、物理チャネルについての外側符号化されたデータを生成し、さらに、ターボ符号に基づいて、各物理チャネルについての外側符号化されたデータを符号化し、前記物理チャネルについての符号化されたデータを生成する請求項１記載の装置。
【請求項１３】
前記物理チャネルについて処理されたデータに基づいて、各物理チャネルについての直交周波数分割多重化（ＯＦＤＭ）シンボルを生成する変調器をさらに具備する請求項１記載の装置。
【請求項１４】
前記コントローラは、スーパフレームにおける各複数のタイムスロットについての少なくとも２つの無線技術の中から無線技術を選択し、前記プロセッサは少なくとも２つの無線技術の中の第１の無線技術に基づいて少なくとも１つの物理チャネルを処理する請求項１記載の装置。
【請求項１５】
第２の無線技術を使用して送られるデータを処理し、前記第２の無線技術のために処理されたデータを前記第２の無線技術に割り当てられたタイムスロットに多重化する第２のプロセッサをさらに具備する請求項１４記載の装置。
【請求項１６】
前記少なくとも２つの無線技術は、直交周波数分割多重（ＯＦＤＭ）及び広帯域符号分割多重アクセス（Ｗ−ＣＤＭＡ）を含む請求項１４記載の装置。
【請求項１７】
複数のタイムスロットが含まれるスーパフレームにおいて送信される少なくとも１つの物理チャネルを認識し、
スーパフレームにおける少なくとも２つのタイムスロットを前記少なくとも１つの物理チャネルのそれぞれに割り当て、
前記少なくとも１つの物理チャネルのそれぞれのための符号化及び変調を選択し、
前記物理チャネルについて選択された符号化及び変調に基づいて、各物理チャネルについてのデータを処理し、
各物理チャネルについて処理されたデータを前記物理チャネルに割り当てられた少なくとも２つのタイムスロットに多重化することを含む無線通信システムにおける伝送のためのデータを処理する方法。
【請求項１８】
前記少なくとも１つの物理チャネルのそれぞれのための符号化及び変調を選択することは、
各物理チャネルの容量を決定し、
前記物理チャネルの容量に基づいて各物理チャネルについての符号化及び変調を選択することを含む請求項１７記載の方法。
【請求項１９】
各物理チャネルについてのデータを処理することは、
前記物理チャネルについて選択された全体的な符号レートに基づいて、各物理チャネルについてのデータを符号化し、
前記物理チャネルについて選択された変調スキームに基づいて、各物理チャネルについて符号化されたデータを変調シンボルにマップすることを含む請求項１７記載の方法。
【請求項２０】
各物理チャネルについてデータを符号化することは、
外側符号レートに基づいて各物理チャネルについてのデータを選択的に符号化して、各物理チャネルについての外側符号化されたデータを生成し、
内側符号レートに基づいて各物理チャネルについて外側符号化されたデータを符号化し、前記各物理チャネルについての符号化されたデータを生成することを含む請求項２０記載の方法。
【請求項２１】
第１の無線技術に基づいて少なくとも１つの物理チャネルを処理し、
第２の無線技術を使用して送られるデータを処理し、
前記第２の無線技術のために処理されたデータを前記第２の無線技術に割り当てられたタイムスロットに多重化することをさらに具備する請求項１７記載の方法。
【請求項２２】
複数のタイムスロットが含まれるスーパフレームにおいて送信される少なくとも１つの物理チャネルを認識する手段と、
スーパフレームにおける少なくとも２つのタイムスロットを前記少なくとも１つの物理チャネルのそれぞれに割り当てる手段と、
前記少なくとも１つの物理チャネルのそれぞれのための符号化及び変調を選択する手段と、
前記物理チャネルについて選択された符号化及び変調に基づいて、各物理チャネルについてのデータを処理する手段と、
各物理チャネルについて処理されたデータを前記物理チャネルに割り当てられた少なくとも２つのタイムスロットに多重化する手段と
を具備する装置。
【請求項２３】
前記少なくとも１つの物理チャネルのそれぞれのための符号化及び変調を選択する手段は、
各物理チャネルの容量を決定する手段と、
前記物理チャネルの容量に基づいて各物理チャネルについての符号化及び変調を選択する手段と
を具備する請求項２２記載の装置。
【請求項２４】
各物理チャネルについてのデータを処理する手段は、
前記物理チャネルについて選択された全体的な符号レートに基づいて、各物理チャネルについてのデータを符号化する手段と、
前記物理チャネルについて選択された変調スキームに基づいて、各物理チャネルについて符号化されたデータを変調シンボルにマップする手段と
を具備する請求項２２記載の装置。
【請求項２５】
各物理チャネルについてデータを符号化する手段は、
外側符号レートに基づいて各物理チャネルについてのデータを選択的に符号化して、各物理チャネルについての外側符号化されたデータを生成する手段と、
内側符号レートに基づいて各物理チャネルについて外側符号化されたデータを符号化し、前記物理チャネルについての符号化されたデータを生成する手段とを含む請求項２４記載の装置。
【請求項２６】
第１の無線技術に基づいて少なくとも１つの物理チャネルを処理する手段と、
第２の無線技術を使用して送られるデータを処理する手段と、
前記第２の無線技術のために処理されたデータを前記第２の無線技術に割り当てられたタイムスロットに多重化する手段をさらに具備する請求項２２記載の装置。
【請求項２７】
複数のタイムスロットが含まれるスーパフレームにおいて受信される少なくとも１つの物理チャネルを認識して、スーパフレームにおける各少なくとも１つの物理チャネルに割り当てられた少なくとも２つのタイムスロットを決定し、物理チャネルについて使用された符号化及び変調を決定するコントローラと、
物理チャネルに割り当てられた少なくとも２つのタイムスロットから各物理チャネルについての受信データを多重分離し、前記物理チャネルについて使用された符号化及び変調に基づいて各物理チャネルについての受信データを処理するプロセッサと
を具備する装置。
【請求項２８】
前記スーパフレームは、少なくとも２つの外側フレームを有し、各外側フレームは複数のタイムスロットを有し、前記各物理チャネルに割り当てられた少なくとも２つのタイムスロットは、スーパフレームの各外側フレームにおける少なくとも１つのタイムスロットを含む請求項２７記載の装置。
【請求項２９】
前記スーパフレームは、少なくとも２つの外側フレームを有し、各外側フレームは複数のタイムスロットを有し、各物理チャネルは最小スロット割り当ての整数倍に割り当てられ、前記最小スロット割り当てはスーパフレームの各外側フレームにおける１つのタイムスロットである請求項２７記載の装置。
【請求項３０】
前記プロセッサは、物理チャネルについて選択された変調スキームに基づいて各物理チャネルについて受信したデータを復調し、さらに、物理チャネルについて選択された全体的な符号レートに基づいて、各物理チャネルについての復調されたデータを復号する請求項２７記載の装置。
【請求項３１】
前記プロセッサは、内側符号レートに基づいて各物理チャネルについて復調されたデータを復号して内側復号化されたデータを得て、さらに、外側符号レートに基づいて、内側復号化されたデータを選択的に復号して物理チャネルについて復号化されたデータを得る請求項３０記載の装置。
【請求項３２】
前記プロセッサは、ターボ符号に基づいて各物理チャネルについての変調されたデータを復号して内側復号化されたデータを得て、さらに、リードソロモン符号に基づいて内側復号化されたデータを復号して物理チャネルについて復号化されたデータを得る請求項３０記載の装置。
【請求項３３】
各物理チャネル上で受信したデータ上で直交周波数分割多重化（ＯＦＤＭ）を実行する復調器をさらに具備する請求項２７記載の装置。
【請求項３４】
前記プロセッサは、少なくとも２つの無線技術の中の第１の無線技術に従って少なくとも１つの物理チャネルについての受信したデータを処理する請求項２７記載の装置。
【請求項３５】
第２の無線技術に割り当てられたタイムスロットから前記第２の無線技術のために受信したデータを多重分離し、前記第２の無線技術にしたがって、前記第２の無線技術について前記受信したデータを処理する第２のプロセッサをさらに具備する請求項３４記載の装置。
【請求項３６】
前記第１の無線技術は直交周波数分割多重（ＯＦＤＭ）であり、前記第２の無線技術は広帯域符号分割多重アクセス（Ｗ−ＣＤＭＡ）である請求項３５記載の装置。
【請求項３７】
複数のタイムスロットが含まれるスーパフレームにおいて受信される少なくとも１つの物理チャネルを認識し、
スーパフレームにおける各少なくとも１つの物理チャネルに割り当てられた少なくとも２つのタイムスロットを決定し、
各物理チャネルについて使用された符号化及び変調を決定し、
物理チャネルに割り当てられた少なくとも２つのタイムスロットから各物理チャネルについての受信データを多重分離し、
前記物理チャネルについて使用された符号化及び変調に基づいて各物理チャネルについての受信データを処理することを含む無線通信システムにおけるデータの受信方法。
【請求項３８】
前記各物理チャネルについての受信データを処理することは、
物理チャネルについて選択された変調スキームに基づいて各物理チャネルについて受信したデータを復調し、
物理チャネルについて選択された全体的な符号レートに基づいて、各物理チャネルについての復調されたデータを復号することを含む請求項３７記載の方法。
【請求項３９】
前記各物理チャネルについての復調されたデータを復号することは、
内側符号レートに基づいて各物理チャネルについて復調されたデータを復号して内側復号化されたデータを得て、
外側符号レートに基づいて、内側復号化されたデータを選択的に復号して物理チャネルについて復号化されたデータを得ることを含む請求項３８記載の方法。
【請求項４０】
第１の無線技術に従って少なくとも１つの物理チャネルについての前記受信したデータを処理し、
第２の無線技術に割り当てられたタイムスロットから前記第２の無線技術についての受信したデータを多重分離し、
前記第２の無線技術に従って前記第２の無線技術についての受信データを処理することをさらに具備する請求項３７記載の方法。
【請求項４１】
複数のタイムスロットが含まれるスーパフレームにおいて受信される少なくとも１つの物理チャネルを認識する手段と、
スーパフレームにおける各少なくとも１つの物理チャネルに割り当てられた少なくとも２つのタイムスロットを決定する手段と、
各物理チャネルについて使用された符号化及び変調を決定する手段と、
物理チャネルに割り当てられた少なくとも２つのタイムスロットから各物理チャネルについての受信データを多重分離する手段と、
前記物理チャネルについて使用された符号化及び変調に基づいて各物理チャネルについての受信データを処理する手段と
を具備する装置。
【請求項４２】
前記各物理チャネルについての受信データを処理する手段は、
物理チャネルについて選択された変調スキームに基づいて各物理チャネルについて受信したデータを復調する手段と、
物理チャネルについて選択された全体的な符号レートに基づいて、各物理チャネルについての復調されたデータを復号する手段を含む請求項４１記載の装置。
【請求項４３】
前記各物理チャネルについての復調されたデータを復号する手段は、
内側符号レートに基づいて各物理チャネルについて復調されたデータを復号して内側復号化されたデータを得る手段と、
外側符号レートに基づいて、内側復号化されたデータを選択的に復号して物理チャネルについて復号化されたデータを得る手段とを含む請求項４２記載の装置。
【請求項４４】
第１の無線技術に従って少なくとも１つの物理チャネルについての前記受信したデータを処理する手段と、
第２の無線技術に割り当てられたタイムスロットから前記第２の無線技術についての受信したデータを多重分離する手段と、
前記第２の無線技術に従って前記第２の無線技術についての受信データを処理する手段とをさらに具備する請求項４１記載の装置。
【発明の詳細な説明】
【技術分野】
【０００１】
本発明は、一般的には通信に関し、より具体的には、無線通信システムにおいてデータを伝送する技術に関する。
【背景技術】
【０００２】
無線通信システムは広く展開されており、音声、パケットデータ、マルチメディア放送、テキストメッセージングなどのような種々の通信サービスを提供する。これらシステムは、入手可能なシステム資源を共用することにより、多重ユーザの通信をサポートすることが可能な多重アクセスシステムである。このような多重アクセスシステムの例は、符号拡散多重アクセス（ＣＤＭＡ）システム、時分割多重アクセス（ＴＤＭＡ）システム、周波数分割多重アクセス（ＦＤＭＡ）システム、直交周波数拡散多重アクセス（ＯＦＤＭＡ）システムを含む。ＣＤＭＡシステムは、広帯域ＣＤＭＡ（Ｗ−ＣＤＭＡ）、ｃｄｍａ２０００などを実現する。Ｗ−ＣＤＭＡは、"第３世代パートナシッププロジェクト”（３ＧＰＰ）と名づけられたコンソーシアムの文書において述べられている。ｃｄｍａ２０００は、"第３世代パートナシッププロジェクト２”（３ＧＰＰ２）と名づけられたコンソーシアムの文書において述べられている。３ＧＰＰ及び３ＧＰＰ２文書は公的に入手可能である。
【０００３】
Ｗ−ＣＤＭＡ及びｃｄｍａ２０００は、ダイレクトシーケンスＣＤＭＡ（ＤＳ−ＣＤＭＡ）を使用し、挟帯域信号をスペクトラム的に全体のシステムバンド幅に拡散符号を使用して拡散する。ＤＳ−ＣＤＭＡは多重アクセス、挟帯域除去などのサポートの軽減のような特有の利点を有する。しかしながら、ＤＳ−ＣＤＭＡは選択的周波数フェージングの影響を受け易く、符号間干渉（ＩＳＩ）を引き起こす。等化器を有する複雑な受信器は、符号間干渉と戦う必要がある。
【０００４】
無線通信システムは、事実上変化するマルチキャスト及びブロードバンド伝送を送ることが可能である。マルチキャスト伝送は、端末グループに送られる伝送であり、ブロードバンド伝送は放送カバーエリア内における全ての端末に送られる伝送である。例えば、マルチキャスト及びブロードバンド伝送は、時間で変化する可変データレートを有する。さらに、伝送数及び／又は送られるべき伝送種類は時間で変化する。このシステムでは、有効な方法で伝送のための入手可能なシステム資源を割り当て及び利用することに挑戦する。
【０００５】
したがって、無線通信システムにおいて可変伝送を送るための技術がこの分野において必要とされている。
【発明の概要】
【０００６】
無線通信システムにおいて、効率的にシステム資源を物理チャネルに割り当てる技術及び物理チャネルを処理し伝送する技術が、ここに開示されている。これら技術は、ユニキャスト、マルチキャスト及びブロードバンド伝送、及び改良マルチメディア放送／マルチキャストサービス（Ｅ−ＭＢＭＳ）のような種々のサービスに使用される。
【０００７】
本発明の実施の形態によれば、コントローラ及びプロセッサを有する装置が述べられる。このコントローラは、少なくとも１つの物理チャネルを認識する。この物理チャネルは、複数のタイムスロットで構成されるスーパフレームにおいて伝送されるものである。コントローラは、スーパフレームにおける少なくとも２つのタイムスロットを各物理チャネルに割り当て、例えば、物理チャネルの容量に基づいて、各物理チャネルに対する符号化及び変調を選択する。プロセッサは、その物理チャネルについて選択された符号化及び変調に基づいて、各物理チャネルについてのデータを処理（例えば、符号化及び変調）する。プロセッサは、さらに、各物理チャネルについて処理したデータを、その物理チャネルに割り当てられた少なくとも２つのタイムスロットへ多重化する。
【０００８】
他の実施の形態によれば、複数のタイムスロットで構成されるスーパーフレームにおいて送られる少なくとも１つの物理チャネルが認識される方法が提供される。スーパフレームにおける少なくとも２つのタイムスロットが各物理チャネルに割り当てられる。符号化及び変調が各物理チャネルに対して選択されている。各物理チャネルについてのデータは、その物理チャネルについて選択された符号化及び変調に基づいて処理される。各物理チャネルについて処理されたデータは、次に、物理チャネルに割り当てられた少なくとも２つのタイムスロットに多重化される。
【０００９】
さらに他の実施の形態によれば、複数のタイムスロットで構成されるスーパフレームにおいて送られるべき少なくとも１つの物理チャネルを認識する手段、スーパフレームにおける少なくとも２つのタイムスロットを各物理チャネルに割り当てる手段、各物理チャネルについて符号化及び変調を選択する手段、当該物理チャネルについて選択された符号化及び変調に基づいて、各物理チャネルについてデータを処理する手段、各物理チャネルについてこの処理されたデータを物理チャネルに割り当てられた少なくとも２つのタイムスロットに多重化する手段を具備する装置が述べられる。
【００１０】
さらに、他の実施の形態によれば、コントローラ及びプロセッサを具備する装置が述べられる。このコントローラは、複数のタイムスロットで構成されるスーパフレームにおいて受信される少なくとも１つの物理チャネルを認識する。コントローラは、物理チャネルに割り当てられた少なくとも２つのタイムスロットを決定し、各物理チャネルに対して使用される符号化及び変調をも決定する。プロセッサは、その物理チャネルに割り当てられた少なくとも２つのタイムスロットから各物理チャネルについて受信されたデータを多重分離(demultiplex)する。プロセッサは、さらに、物理チャネルについて使用された符号化及び変調に基づいて、各物理チャネルについて受信したデータを処理する。
【００１１】
さらに、他の実施の形態によれば、複数のタイムスロットで構成されるスーパフレームにおいて受信される少なくとも１つの物理チャネルが認識される方法が提供される。各物理チャネルに対して割り当てられる少なくとも２つのタイムスロットが決定される。各物理チャネルに対して使用される符号化及び変調もまた決定される。各物理チャネルについての受信したデータは、その物理チャネルに割り当てられた少なくとも２つのタイムスロットから多重分離される。各物理チャネルについての受信データは、次に、その物理チャネルについて使用される符号化及び変調に基づいて処理される。
【００１２】
他の実施の形態によれば、複数のタイムスロットで構成されるスーパフレームにおいて受信される少なくとも１つの物理チャネルを認識する手段、各物理チャネルに割り当てられた少なくとも２つのタイムスロットを決定する手段、各物理チャネルに使用される符号及び変調を決定する手段、物理チャネルに割り当てられた少なくとも２つのタイムスロットから各物理チャネルについての受信データを多重分離する手段、及びその物理チャネルについて使用される符号化及び変調に基づいて、各物理チャネルについての受信データを処理する手段を具備する装置が述べられる。
【図面の簡単な説明】
【００１３】
【図１】図１は無線通信システムを示す。
【図２】図２は例示的な４層のスーパフレーム構造を示す。
【図３】図３はフレームにおけるＷ−ＣＤＭＡ及びＯＦＤＭの多重化を示す。
【図４】図４はＥ−ＭＢＭＳについてのスーパフレームにおけるタイムスロットの割り当てを示す。
【図５】図５はＥ−ＭＢＭＳについてのデータ処理を示す。
【図６】図６はスーパフレームにおけるＥ−ＭＢＭＳ物理チャネルのトランスポートブロックの処理及び伝送を示す。
【図７】図７は２つのＥ−ＭＢＭＳ物理チャネルのトランスポートブロックの伝送を示す。
【図８】図８はスーパフレームにおけるデータの伝送の処理を示す。
【図９】図９は基地局及び端末のブロック図を示す。
【図１０】図１０はＷ−ＣＤＭＡについてのデータ処理を示す。
【図１１】図１１はターボエンコーダを示す。
【発明を実施するための形態】
【００１４】
本発明の種々の観点及び実施の形態が、以下詳細に述べられる。
【００１５】
本特許出願は、本出願の譲受人に譲り渡され、２００４年６月４日に出願され、題名”FLO-TDD物理レイヤ”の仮出願番号No.60/577,083に対する優先権を主張し、参考のために明らかにここに組み込まれる。
【００１６】
ここで使用される"例示的な”とは、”例として、事例として、或いは例証として扱われる”ことを意味する。ここにおいて使用される”例示的な”どんな実施の形態も、他の実施の形態よりも好ましく或いは有利に構成される必要はない。
【００１７】
図１は、複数の基地局１１０及び複数の端末１２０を有する無線通信システム１００を示す図である。基地局は、一般的に固定局であり、端末と通信する。そして、また、基地局はノードＢ、アクセスポイント、基地トランシーバサブシステム（ＢＴＳ）或いは他の用語で呼ばれることも可能である。各基地局１１０は特定の地理的範囲のカバレッジ(coverage)領域を提供する。用語"セル”は基地局及び／又はその用語が使用されているコンテクストに依存するそのカバレッジ領域として参照することができる。端末１２０は、システムのいたる所に分散されている。端末は、固定或いはモバイルであり、移動局、無線デバイス、ユーザ機器、ユーザ端末、加入者ユニット或いは他の用語で呼ばれることが可能である。”端末”及び”ユーザ”はここでは区別無く使用されることが可能である。端末はゼロ、１つ、或いは複数の基地局といずれかの与えられた瞬間にダウンリンク及び／又はアップリンク上で通信を行なうことができる。このダウンリンク（すなわち、フォワードリンク）は基地局から端末への通信リンクとして参照され、アップリンク（すなわち、リバースリンク）は端末から基地局への通信リンクとして参照される。
【００１８】
ここにおいて述べられる伝送技術は、Ｗ−ＣＤＭＡ、ｃｄｍａ２０００、ＩＳ−８５６、ＣＤＭＡの他のヴァージョン、直交周波数分割多重（ＯＦＤＭ）、インタリーブドＦＤＭＡ（ＩＦＤＭＡ）（分散ＦＤＭＡとも呼ばれる。）、ローカライズドＦＤＭＡ（ＬＦＤＭＡ）（ナローバンドＦＤＭＡ或いはクラシカルＦＤＭＡとも呼ばれる。）、移動通信用のグローバルシステム（ＧＳＭ（登録商標））、ダイレクトシーケンス拡散スペクトラム（ＤＳＳＳ）、周波数ホッピング拡散スペクトラム（ＦＨＳＳ）などのような種々の無線技術が使用される。Ｗ−ＣＤＭＡ及びｃｄｍａ２０００は、ダイレクトシーケンスＣＤＭＡ（ＤＳ−ＣＤＭＡ）を利用する。このダイレクトシーケンスＣＤＭＡは、ナローバンド信号を全システムバンド帯域にスペクトラム的に拡散するものである。ＯＦＤＭ、ＩＦＤＭＡ及びＬＦＤＭＡはマルチキャリア無線技術であり、全システムバンド帯域を効率的に複数（Ｓ）の直交周波数サブバンドに区切るものである。これらサブバンドはトーン、サブキャリア、ビン（ｂｉｎｓ）及び周波数チャネルとも呼ばれる。各サブバンドは、データで変調された各サブキャリアに関連付けられている。ＯＦＤＭはＳ個のサブバンドの全て或いは１組の周波数ドメインにおいて変調シンボルを送信する。ＩＦＤＭＡは、Ｓ個のサブバンドに渡って均一に分散されたサブバンドのタイムドメインにおいて変調シンボルを送信する。ＬＦＤＭＡは、一般的には隣接するサブバンド上でのタイムドメインにおいて変調シンボルを送信する。ユニキャスト、マルチキャスト、ブロードキャスト伝送のためのＯＦＤＭの使用は、異なる無線技術として考慮される。上記無線技術のリストは、余すところのないものではなく、この伝送技術は上述していない他の無線技術についても使用することができる。明確にするために、伝送技術は、以下では特にＷ−ＣＤＭＡ及びＯＦＤＭについて述べられる。
【００１９】
図２はシステム１００においてデータ、パイロット及び信号方式(signaling)を伝送するのに使用される４層のスーパフレーム構造２００を示す。伝送時間回線はスーパフレームに区切られ、各スーパフレームは所定時間持続、例えば、約１秒持続する。図２に示された実施の形態については、各スーパフレームは、（１）  時分割多重（ＴＤＭ）パイロット及びオーバヘッド／制御情報のためのヘッダーフィールド  （２）  トラフィックデータ及び周波数分割多重（ＦＤＭ）パイロットのためのデータフィールドを含む。ＴＤＭパイロットは、同期、例えば、スーパフレーム検出、周波数エラー推定及びタイミング取得のために使用される。ＴＤＭ及びＦＤＭパイロットはチャネル推定に使用される。各スーパフレームのためのオーバヘッド情報はスーパフレームにおいて送られる伝送のための種々のパラメータを運ぶ。例えば、タイムスロット、各伝送において使用される符号化及び変調である。
【００２０】
各スーパフレームのデータフィールドは、Ｋ個の同サイズ外側フレームに区切られ、データ伝送を容易にする。ここで、Ｋ＞１である。各外側フレームはＮ個のフレームに区切られ、各フレームはさらにＴ個のタイムスロットに区切られる。ここで、Ｎ＞１、Ｔ＞１である。各外側フレームは、従って、Ｍ＝Ｎ・Ｔ個のタイムスロットを含み、これらは１からＭのインデックスが割り当てられる。一般的に、スーパフレームはどんな数の外側フレーム、フレーム及びタイムスロットを含むことができる。スーパフレーム、外側フレーム、フレーム及びタイムスロットもまた他の用語で参照されることができる。
【００２１】
図３は、時分割多重（ＴＤＤ）システムについてのフレームにおけるＷ−ＣＤＭＡ及びＯＦＤＭの例示的な多重を示す。一般的に、このフレームにおける各タイムスロットはダウンリンク（Ｄｌ）或いはアップリンク（ＵＬ）のいずれかで使用される。ダウンリンクで使用されるタイムスロットはダウンリンクスロットと呼ばれ、アップリンクで使用されるタイムスロットはアップリンクスロットと呼ばれる。どんな無線技術(例えば、Ｅ−ＣＤＭＡ或いはＯＦＤＭ）も各タイムスロットについて使用することができる。Ｗ−ＣＤＭＡについて使用されるタイムスロットはＷ−ＣＤＭＡスロットと呼ばれ、ＯＦＤＭについて使用されるタイムスロットはＯＦＤＭスロットと呼ばれる。ＯＦＤＭのダウンリンクで使用されるタイムスロットはＥ−ＭＢＭＳスロットと呼ばれる。図３において示される例では、タイムスロット１はダウンリンクＷ−ＣＤＭＡスロット、タイムスロット２〜６はＥ−ＭＢＭＳスロット、タイムスロット７はアップリンクＷ−ＣＤＭＡスロット及びタイムスロット８〜１５はＥ−ＭＢＭＳスロットである。各ダウンリンクＷ−ＣＤＭＡスロットでは、１つ以上の物理チャネルについてのデータが異なる直交（例えば、ＯＶＳＦ）シーケンスでチャネライズされ、スクランブル符号でスペクトラム的に拡散され、時間領域において組み合わされ、Ｗ−ＣＤＭＡスロット全体に渡って伝送される。各Ｅ−ＭＢＭＳスロットについて、ＬＯＦＤＭシンボルは、Ｌ≧１の場合に、Ｅ−ＭＢＭＳスロットにおいて送信されるデータについて生成される。例えば、３つのＯＦＤＭシンボルは各Ｅ−ＭＢＭＳスロットにおいて送られ、各ＯＦＤＭシンボルは２２０マイクロ秒（μｓ）の持続時間を有している。
【００２２】
Ｗ−ＣＤＭＡ及びＯＦＤＭをサポートする周波数分割多重（ＦＤＤ）システムでは、ダウンリンク及びアップリンクは同時に分離周波数帯上で伝送される。ダウンリンク上の各タイムスロットはＷ−ＣＤＭＡ或いはＯＦＤＭについて使用される。
【００２３】
図２及び図３はスーパフレーム構造の例を示す。ここにおいて述べられる伝送技術は他のスーパフレーム構造と使用されることが可能であり、他の無線技術を利用するシステムのために使用される。
【００２４】
表１は図２及び図３において示されるスーパフレーム構造のための３つの例示的なフレーム構造を示す。これらフレーム構造では、ＴＤＭパイロット及びオーバヘッド情報のためのヘッダフィールドは４０ミリ秒（ｍｓ）であり、各スーパフレームは４つの外側フレーム（Ｋ＝４）を有し、フレーム及びタイムスロットはＷ−ＣＤＭＡに一致し、各フレームの２つのタイムスロットはＷ−ＣＤＭＡのためにリザーブ（予約）される。Ｗ−ＣＤＭＡでは、各フレームは１０ｍｓの持続時間、１５のタイムスロット（Ｔ＝１５）を有し、各タイムスロットは０．６６７ｍｓの持続時間、２５６０チップを有し、各チップは３．８４ＭＨｚのシステム帯域幅に対して０．２６マイクロ秒（μｓ）の持続時間を有している。外側フレーム（Ｍ）毎のタイムスロット数は、フレーム（Ｔ）毎のタイムスロット数に外側フレーム（Ｎ）毎のフレーム数を乗じたものと等しく、すなわち、Ｍ＝Ｔ×Ｎである。外側フレーム（Ｖ）毎のＥ−ＭＢＭＳスロットの最大数はフレーム（１３）毎のＥ−ＭＢＭＳの最大数に外側フレーム（Ｎ）毎のフレーム数を乗じたものに等しく、すなわち、Ｖ＝１３×Ｎである。Ｋ，Ｎ，Ｔ，Ｍ及びＶについて他の値を有する他のフレーム構造も使用されることができ、本発明の観点に含まれる。
【表１】
2011091817.tif 000003
【００２５】
各外側フレームはＭ個のタイムスロットを有し、このＭ個のタイムスロットは図２において示されるＷ−ＣＤＭＡ及びＯＦＤＭについて使用される。ゼロ、１、或いは複数のタイムスロット（例えば、各フレームにおける２つのタイムスロット）がＷ−ＣＤＭＡについてリザーブされる。リザーブされていないタイムスロットは種々の方法及びシステムローディング、使用要求などの種々の要素に基づいて、Ｗ−ＣＤＭＡ及びＯＦＤＭに割り当てられる。
【００２６】
図４はタイムスロットをＥ−ＭＢＭＳについてのスーパフレームに割り当てる実施の形態を示す。この実施の形態については、Ｗ−ＣＤＭＡについてリザーブされていない各タイムスロットがＥ−ＭＢＭＳスロットとして使用されている。図４において示されている例については、外側フレーム１のフレーム１における２つのタイムスロットがＥ−ＭＢＭＳについて割り当てられ、フレーム２における１つのタイムスロットがＥ−ＭＢＭＳなどについて割り当てられ、フレームＮにおける３つのタイムスロットがＥ−ＭＢＭＳについて割り当てられている。各外側フレームにおけるＥ−ＭＢＭＳスロットは１からＱの連続したインデックスに割り当てられ、Ｑは外側フレームにおけるＥ−ＭＢＭＳスロットの数である。リザーブされていないタイムスロットは他の方法でもＥ−ＭＢＭＳについて割り当てられる。例えば、与えられたスーパフレームの各外側フレームにおけるＮ個のフレームはＥ−ＭＢＭＳの同じ組を含むので、各フレームは同じスロットインデックスのＥ−ＭＢＭＳスロットを含む。各外側フレーム（Ｑ）におけるＥ−ＭＢＭＳスロットの数は、フレーム（Ｇ）毎のＥ−ＭＢＭＳスロットの数に外側フレーム（Ｎ）毎のフレーム数を乗じたものに等しく、すなわち、Ｑ＝Ｇ×Ｎである。
【００２７】
システムは、物理チャネルをデータ伝送を容易にするために定義する。物理チャネルは、物理レイヤでデータを送る手段であり、物理レイヤチャネル、トラフィックチャネル、伝送チャネルなどと呼ばれる。ＯＦＤＭを使用するダウンリンク上で伝送される物理チャネルはＥ−ＭＢＭＳ物理チャネルと呼ばれる。Ｅ−ＭＢＭＳ物理チャネルは種々のデータの送信（例えば、マルチキャストデータ、ブロードキャストデータ、制御データなど）に使用され、かつ種々のサービス（例えば、Ｅ−ＭＢＭＳ）に使用される。与えられたＥ−ＭＢＭＳ物理チャネルは与えられたスーパフレームにおいて伝送され、或いは伝送されない。
【００２８】
実施の形態においては、与えられたスーパフレームにおいて伝送されるＥ−ＭＢＭＳ物理チャネルはスーパフレームにおける各外側フレームの少なくとも１つのフレームにおける少なくとも１つのタイムスロットに割り当てられる。この実施の形態においては、Ｅ−ＭＢＭＳ物理チャネルは同じスロットを有し、全てのスーパフレームのＫ個の外側フレームについてのフレーム割り当てを有する。例えば、Ｅ−ＭＢＭＳ物理チャネルは、スーパフレームにおける各外側フレームのフレームｎにおけるタイムスロットｔに割り当てられる。本例においては、Ｅ−ＭＢＭＳ物理チャネルはＭタイムスロットだけ離れて均一に配置されたＫ個のタイムスロットの合計に割り当てられる。本実施の形態については、Ｅ−ＭＢＭＳ物理チャネルが最小スロット割り当ての整数倍に割り当てられる。この最小スロット割り当ては、スーパフレームの各外側フレームにおける１つのタイムスロットである。Ｅ−ＭＢＭＳ物理チャネルが最小スロット割り当ての複数倍に割り当てられると、各外側フレームにおける複数のタイムスロットはお互いに隣り合い、或いは外側フレームにわたって分散される。
【００２９】
上述のスロットアロケーションの実施の形態は種々の利点を提供する。第１に、Ｅ−ＭＢＭＳ物理チャネルに割り当てられたタイムスロットがスーパフレームにわたって分散され、Ｍ個のタイムスロットによって分離されるので、時間ダイバーシティが実現される。第２に、タイムスロットがＥ−ＭＢＭＳ物理チャネルに割り当てられる構成方法のため、Ｅ−ＭＢＭＳ物理チャネルに対するタイムスロットの割り当てが単純化される。第３に、スロット割り当てが少量のオーバヘッド情報とともに伝送される。第４に、タイムスロット全体の１つのＥ−ＭＢＭＳ物理チャネルへの割り当ては、Ｅ−ＭＢＭＳについての基地局及び端末での処理（例えば、符号化及び変調）を簡略化する。しかしながら、タイムスロットは、またＥ−ＭＢＭＳ物理チャネルに他の手法で割り当てることもでき（例えば、複数のＥ−ＭＢＭＳ物理チャネルは１つのタイムスロット或いは１つのＯＦＤＭシンボルを共有することができる。）、これは本発明の観点の範囲内である。
【００３０】
実施の形態においては、与えられたスーパフレームにおいて送られるＥ−ＭＢＭＳチャネルは、スーパフレームについてのＥ−ＭＢＭＳ物理チャネルについて選択された符号化及び変調に基づいて処理される。Ｅ−ＭＢＭＳ物理チャネルについての符号化及び変調は、スーパフレームの全体の持続時間について一定のままであるが、スーパフレームからスーパフレームへは変化する。
【００３１】
実施の形態においては、Ｅ−ＭＢＭＳ物理チャネルはスーパフレームからスーパフレームへ変化することができる設定変更可能（configurable)な容量を有している。Ｅ−ＭＢＭＳ物理チャネルの容量は（１）Ｅ−ＭＢＭＳ物理チャネルに割り当てられたタイムスロット数  （２）最小スロット割り当てと共に１つのスーパフレームにおけるＥ−ＭＢＭＳ物理チャネル上で送られることが可能な情報ビット数によって決定される。設定変更可能な容量は、Ｅ−ＭＢＭＳ物理チャネルについての情報ビットを生成するために、生データを符号化するのに使用される可変レート符号器／復号器（コーデック）（例えば、オーディオコーデック、ビデオコーデックなど）をサポートするのに使用される。設定変更可能な容量は、ブロードキャスト伝送のために送られることが可能なデータ量対ブロードキャスト伝送のための到達範囲との間のトレードオフにも使用される。
【００３２】
実施の形態においては、１つのトランスポートブロックは最小スロット割り当てについてのスーパフレームにおけるＥ−ＭＢＭＳ物理チャネル上で送られる。トランスポートブロックのサイズは設定変更可能であり、Ｅ−ＭＢＭＳ物理チャネルの容量に影響を及ぼす。符号化及び変調は、トランスポートブロックが最小スロット割り当てについてのタイムスロットにおいて送られるように選択される。Ｅ−ＭＢＭＳ物理チャネルが最小スロット割り当ての複数倍である場合には、複数のトランスポートブロックは、スーパフレームにおけるＥ−ＭＢＭＳ物理チャネル上で送られる。
【００３３】
図５はＥ−ＭＢＭＳについてのデータ処理の実施の形態を示す。明確化のために、図５は１つのＥ−ＭＢＭＳ物理チャネルについての処理を示す。
【００３４】
図６は１つのスーパフレームにおける１つのＥ−ＭＢＭＳ物理チャネル上の１つのトランスポートブロック６１０についての処理及び伝送を示す。図５及び図６を参照して、トランスポートブロックの処理について述べる。
【００３５】
トランスポートブロック６１０は、（ｎ，ｋ）リードソロモン符号のような外側ブロック符号で符号化され（ブロック５１２）、データ及びパリティを含む外側符号化ブロック６１２を生成する。ブロック符号化は選択的に実行される。ブロック符号化が省略された場合には、外側符号化ブロック６１２は、単にトランスポートブロック６１０におけるデータを含んでいる。外側符号化レートはＲ０＝ｋ／ｎであり、ｋ及びｎは外側符号のパラメータである。巡回冗長チェック（ＣＲＣ）値は、外側符号化ブロック６１２におけるデータ及びパリティに基づいて生成され（ブロック５１４）、外側符号ブロックに付けられてフォーマットされたブロック６１４を形成する。ＣＲＣ値はトランスポートブロックが正しく或いはエラーで復号化されたか否かをチェックするために端末で使用される。他のエラー検出符号もＣＲＣの代わりに使用されることもできる。
【００３６】
フォーマットされたブロック６１４は１つ以上の等しいサイズの符号ブロック、例えば図６においては２つの符号ブロック６１６ａ、６１６ｂに分けられる（ブロック５１６）。各符号ブロック６１６は、次に内側符号で符号化され(ブロック５１８）、符号化ブロック６１８が生成される。内側符号は、ターボ符号、重畳符号、低密度パリティチェック（ＬＤＰＣ）、他の符号或いはこれらの組み合わせが可能である。内側符号は１／Ｒｂの固定符号レートを有し、各入力ビットについてのＲｂ符号を生成することが可能である。例えば、内側符号はターボ符号の１／３のレートであり、各入力ビットについて３つの符号ビットを生成する。レートマッチング（例えば、パンクチュアリング）が、次に、より高いレイヤによって提供されるレートマッチングパラメータにしたがって実行され（ブロック５２０）、各符号化ブロックについての所望の符号ビット数を保存し、残存する符号ビットを廃棄する。内側符号レートＲｉは固定符号レート及びレートマッチングによって決定される。各符号化ブロックについての保存された符号ビットは擬似ランダム数（ＰＮ)シーケンスによってスクランブルされ（ブロック５２２）、ビットをランダム化する。各符号化ブロックについてランダム化されたビットは、次に、インターリービング或いは再並び替え（ブロック５２４）され、処理されたブロック６２４が生成される。インターリービングは、時間ダイバーシティを提供する。
【００３７】
処理されたブロック６２４ａ、６２４ｂは、次に、Ｋ個の出力ブロックに区切られ、例えば、図６においては、４つの出力ブロック６２６ａ，６２６ｂ，６２６ｃ及び６２６ｄに区切られ、各外側フレームについて１つの出力ブロックである。４つの出力ブロックは、Ｅ−ＭＢＭＳ物理チャネルにマップされる（ブロック５２６）。各出力ブロックにおけるビットはＥ−ＭＢＭＳ物理チャネルについて選択された変調スキームに基づいて変調シンボルにマップされる。このシンボルマッピングは、（１）Ｂ個のビットの組をＢ−ビットバイナリ値を形成するためにグルーピングし、ここでＱＰＳＫについてはＢ＝２であり、１６−ＱＡＭについてはＢ＝４であり、６４−ＱＡＭについてはＢ＝６であり、（２）各Ｂ-ビットバイナリ値を選択された変調スキームについての信号コンステレーションのポイントにマッピングすることにより実現される。変調シンボルの４つのブロックは、４つの外側フレームにおけるＥ−ＭＢＭＳ物理チャネルに割り当てられた４つのタイムスロットにおいて伝送される。
【００３８】
スーパフレームに渡って均等に分散されたＫ（例えば、４つ）個のタイムスロットにおけるトランスポートブロックの伝送は、時間ダイバーシティを提供することができる。トランスポートブロックについての伝送時間インターバル（ＴＴＩ）は１つのスーパフレームであり、これは約１秒である。このＴＴＩは、一般的に、無線チャネルのコヒーレンスタイムインターバルよりもかなり長い。従って、トランスポートブロックは複数のコヒーレンスタイムインターバルに渡って拡散され、異なるチャネル状態を観測する。スーパフレームにおけるＫ個のバーストにおけるトランスポートブロックの伝送は、データ受信を容易にし、バッテリ電力消費を低減する。端末は定期的にウェイクアップし、各外側フレームにおけるバーストを受信し、バッテリ電力を保存するためにバースト間でスリープすることが可能である。各バーストはワンタイムスロットにおいて送られ、０．６６７ｍｓと同じくらい短い。一方、トランスポートブロックはＷ−ＣＤＭＡについての８０ｍｓのＴＴＩにおいて連続的に送られる。Ｗ−ＣＤＭＡについてのより短いＴＴＩは結果的により少ない時間ダイバーシティとなる。さらに、トランスポートブロックを受信するために、端末が８０ｍｓ（４×０．６６７ｍｓより長い）の全体のＴＴＩについてウェイク(awake)するので、Ｗ−ＣＤＭＡにおけるトランスポートブロックの連続的な伝送は結果的により高いバッテリ消費となる。
【００３９】
実施の形態においては、Ｅ−ＭＢＭＳ物理チャネルについてのトランスポートブロックサイズは設定可能であり、情報ビット数で与えられる。最小スロット割り当てについてのＥ−ＭＢＭＳ物理チャネル上で送られることができる変調シンボル数はシステムの設計によって固定される。トランスポートブロックサイズにおける全ての情報ビットは最小スロット割り当てが可能な変調シンボルにおいて送られるので、各トランスポートブロックサイズについては、符号化及び変調が選択される。
【００４０】
各トランスポートブロックサイズは、変調シンボル毎の情報ビットのユニット毎に与えられるスペクトラム効率に関連付けられている。スペクトラム効率（Ｓｅｆｆ）はほぼ外側符号レート（Ｒｏ）、内側符号レート（Ｒｉ）、変調シンボル（Ｂ）毎のビット数を乗じたもの、すなわち、Ｓｅｆｆ＝Ｒｏ・Ｒｉ・Ｂ＝Ｒ・Ｂであり、Ｒは全体符号レートで、外側符号レート及び内側符号レートの積である。すなわち、Ｒ＝Ｒｏ・Ｒｉである。スペクトラム効率における近似はＣＲＣが考慮されていない要素に起因する。
【００４１】
符号化及び変調は種々の方法で実行される。本実施の形態においては、符号レートの組は外側符号のためにサポートされており、サポートされた外側符号レートの１つは各トランスポートブロックのために選択される。このサポートされた外側符号レートは１．０の外側符号レートを含み、これは外側符号レートが省略されていることを意味する。変調スキームの組もまたサポートされており、サポートされた変調スキームのうちの１つは各トランスポートブロックのために選択される。与えられたトランスポートブロックサイズのために、トランスポートブロックが使用可能な変調シンボルにおいて送られるように、内側符号レート及び変調スキームが各外側符号レートのために選択される。
【００４２】
システムはトランスポートブロック（ＴＢ）フォーマットの組をサポートし、モデル、レート、トランスポートブロックサイズなどとして参照される。各サポートされたＴＢフォーマットは特定のデータレート、特定のスペクトラム効率、特定の内側符号レート、特定の変調スキーム、特定のトランスポートブロックサイズ及び特定の符号ブロック数に関連付けられている。外側符号レートは独立に特定される。外側符号レートの選択は、内側符号レート、変調スキーム及び符号ブロックの数のようなＴＢフォーマットについてのパラメータに影響を及ぼす。
【００４３】
表２は、表１におけるフレーム構造２のためのＴＢフォーマットの例を示す。表２は最小スロット割り当てがスーパフレームにおける４つのタイムスロットであると仮定している。表２はさらに２３３１個の変調シンボルが各タイムスロットにおいて送られると仮定している。例えば、７７７個の変調シンボル／ＯＦＤＭシンボル×３つのＯＦＤＭシンボル／タイムスロットである。これは１０２４の総サブバンド、１３６のガードサブバンド、８８８の使用可能なサブバンド、１０２４の総サブバンドにわたって分散された１２８のパイロットサブバンド、７７７の使用可能なデータサブバンド及び１１１の使用可能なパイロットサブバンドによって実現される。サポートされた外側符号レートは（１６，１６），（１６，１４）及び（１６，１２）であり、サポートされた変調スキームはＱＰＳＫ、１６−ＱＡＭ及び６４−ＱＡＭである。各トランスポートブロックサイズについては、内側符号レート及び変調スキームは各異なる外側符号レートについて選択され、トランスポートブロックサイズについての所望のスペクトラム効率を実現する。与えられたトランスポートブロックサイズ及び変調スキームについては、外側符号レートが減少するにつれて内側符号レートが増大する。
【表２】
2011091817.tif 000004
【００４４】
表３は表１におけるフレーム構造３のためのＴＢフォーマットの例示的な組を示す。
【表３】
2011091817.tif 000005
【００４５】
表２及び表３はいくつかの例示的なＴＢフォーマット及び他の符号レートを示す。一般的に、どんなＴＢフォーマット及び外側符号レートも使用可能である。ＴＢフォーマットもまたどんなパラメータの組とも関連付けることが可能である。
【００４６】
ターボ符号及び（ｎ，ｋ）リードソロモン符号はそれぞれ内側符号及び外側符号として用いられ、時間ダイバーシティをキャプチャし、性能を向上する。理論的には、ＴＴＩ全体にわたってターボコーディングを実行することが望ましく、ＴＴＩは１つのＥ−ＭＢＭＳチャネルについての１つのスーパフレームである。ターボ符号は外側符号なしで単独で使用可能であり、十分なインターリービングで、システムにおける時間ダイバーシティを利用することが可能である。しかしながら、実用的な観点からは、復号器のバッファサイズによって制限が課せられる。これらのケースにおいては、ターボ符号化されたブロック／パラメータの長さは制限され（例えば、略５０００ビット）、時間ダイバーシティは外側符号レートで修正される。外側符号はどんな与えられたスーパフレームにおけるどんな与えられたＥ−ＭＢＭＳ物理チャネルについても使用され、あるいは使用されないことが可能である。外側符号の主な役割は、時間ダイバーシティを修正することをアシストすることにある。トランスポートブロックがスーパフレーム全体にわたって分散されるＫ個のバーストにおいて送られ、その結果、比較的長いＴＴＩを有するので、時間ダイバーシティの修正は、さらに図２に示したスーパフレーム構造によって容易化される。
【００４７】
図７は１つのスーパフレームにおける２つのＥ−ＭＢＭＳ物理チャネルｘ及びｙ上の異なるサイズを有するトランスポートブロックの伝送を示す図である。図７において示した例のように、小さなトランスポートブロック（例えば、１０００ビット）がＥ−ＭＢＭＳ物理チャネルｘ上で送られ、単一の符号化されたブロックを生成するために、このトランスポートブロックに適用可能な外側及び内側符号レートに基づいて符号化される。この符号化されたブロックは、さらに、適用可能な変調スキーム（例えば、ＱＰＳＫ）に基づいて、処理され、変調され、４つの出力ブロックを生成する。これら４つの出力ブロックは、Ｅ−ＭＢＭＳ物理チャネルｘに割り当てられた４つのタイムスロットにおいて送られる。より大きなトランスポートブロック（例えば、４０００ビット）はＥ−ＭＢＭＳ物理チャネルｙ上で送られ、２つの符号化されたブロックを生成するために、このトランスポートブロックに適用可能な外側及び内側符号レートに基づいて符号化される。これら符号化ブロックはさらに処理され、４つの出力ブロックを生成するために、適用可能な変調スキーム(例えば、６４ビットＱＡＭ）に基づいて変調される。これら４つの出力ブロックはＥ−ＭＢＭＳ物理チャネルに適用可能な４つのタイムスロットにおいて送られる。図７に示すように、双方のＥ−ＭＢＭＳ物理チャネルが最小タイムスロット数に割り当てられているにもかかわらず、Ｅ−ＭＢＭＳ物理チャネルｘ及びｙについて異なる容量が実現される。
【００４８】
ここにおいて述べられる符号化及び変調は異なるデータレート或いはトランスポートブロックサイズが図７に示すような最小スロット割り当てのためのＥ−ＭＢＭＳ物理チャネルについて使用される。このフレキシブルな容量はＥ−ＭＢＭＳ物理チャネルがＥ−ＭＢＭＳ物理チャネル上で送られるマルチメディアデータのための可変コーディックレートをサポートすることを可能にする。このフレキシブル容量はソースレートと最小スロット割り当てのための範囲との間のトレードオフをも可能にする。（１）外側符号が使用されているか否か  （２）選択された外側符号レートにかかわらず、符号化及び変調構造もＥ−ＭＢＭＳ物理チャネルのための一定データレートを保持する。一定データレートはより高いレイヤでのストリームへのシステムリソースの割り当てを簡略化する。外側符号は時間ダイバーシティを修正するために任意に使用される。小さい数の符号レートはブロック符号化を単純化するためにサポートされる。
【００４９】
表２及び表３、図５及び図６は符号化及び変調を実行する特定の実施の形態を示す。符号化及び変調もまた他の手法で実行することが可能である。例えば、トランスポートブロックがＫ個の符号ブロックに分割される。このＫ個の符号分割ブロックは、スーパフレームのＫ個の外側フレームのためのＫ個のタイムスロットにおいて送られ、各タイムスロットにおける１つの符号ブロックである。トランスポートブロックのための情報ビットは符号ブロック１及び可能であれば符号ブロック２において送られる。各残存符号ブロックはさらなる冗長情報を含む。良好なチャネル状況を観察する端末は、Ｋ個の符号ブロックよりもより少ないものに基づいてトランスポートブロックを復号し、次のスーパフレームまでスリープすることが可能である。外側符号レート（１６、１２）のために、ブロック符号によって生成されるパリティビットが最後の符号ブロックにおいて送られ、この最後の符号ブロックは最後の外側フレームにおいて伝送される。トランスポートブロックがすでに正しく復号化され、最後の外側フレームを通してスリープできる場合に、端末はこの符号ブロックを受信する必要がない。
【００５０】
本実施の形態においては、Ｅ−ＭＢＭＳ物理チャネルがレイヤード符号化とともに或いは無しで伝送される。このレイヤード符号化は一般に階層符号化と呼ばれる。レイヤード符号化は１つのＥ−ＭＢＭＳ物理チャネル上でベースストリーム及び改良ストリームを送るのに使用される。このベースストリームはブロードキャスト伝達範囲内の全ての端末を意図する情報を伝達し、改良ストリームはより良いチャネル状況を観測する端末を意図するさらなる情報を伝送する。レイヤド符号化については、ベースストリームについて選択された外側及び内側符号レートに基づいて符号化され、改良ストリームは改良ストリームについて選択された外側及び内側符号レートに基づいて符号化される。２つのストリームについての符号化されたデータは独立に変調シンボルにマップされ、適切にスケールされ、Ｅ−ＭＢＭＳ物理チャネル上の伝送のための出力信号を生成するために組み合わされる。また、２つのストリームのための符号化されたデータは、結合変調スキームについての信号コンステレーションに基づいて変調シンボルに結合的にマップされる。いずれにしろ、合成シンボルはＥ−ＭＢＭＳ物理チャネル上で送られる。ベースストリームは、一般的に、より大きな伝送電力及び／又は全ての端末による受信を可能とするためのより大きなロバスト外側及び内側符号レートを使用して、送信される。改良ストリームは、より少ない伝送電力及び／又はより少ないロバスト外側及び内側符号レートを使用して送信される。端末は、受信信号を処理し、Ｅ−ＭＢＭＳ物理チャネル上で送られたベースストリームをリカバーできる。端末は、ベースストリームに起因する干渉を推定し、受信信号から推定された干渉を差し引き、改良ストリームを回復するために干渉がキャンセルされた信号を処理する。
【００５１】
図８はスーパフレームにおける伝送のためのプロセス８００を示す。スーパフレームにおいて送られるＥ−ＭＢＭＳ物理チャネルが最初に認識される（ブロック８１２）。スーパフレームにおけるタイムスロットはＥ−ＭＢＭＳ物理チャネルに割り当てられる（ブロック８１４）。各Ｅ−ＭＢＭＳ物理チャネルは最小スロット割り当ての整数倍に割り当てられ、これはスーパフレームのＫ個の外側フレームについてのＫ個のタイムスロットである。例えば、送るためのデータ量及び／又はＥ−ＭＢＭＳ物理チャネルのための所望の範囲に基づいて、各Ｅ−ＭＢＭＳ物理チャネルについての容量或いはトランスポートブロックサイズが決定される（ブロック８１６）。各Ｅ−ＭＢＭＳ物理チャネルについての符号化及び変調はＥ−ＭＢＭＳ物理チャネルについてのトランスポートブロックサイズに基づいて選択される（ブロック８１８）。
【００５２】
各Ｅ−ＭＢＭＳ物理チャネルについてのデータは物理チャネルについて選択された符号化及び変調に基づいて処理される。この処理は外側符号レート、例えば、リードソロモン符号に基づいて各Ｅ−ＭＢＭＳ物理チャネルについての選択的なデータの符号化を含む（ブロック８２０）。さらに、この処理は、内側符号レート、例えば、ターボ符号に基づいて、Ｅ−ＭＢＭＳ物理チャネルについての符号化されたデータを生成するために外側符号化データを符号化することを含む（ブロック８２２）。各物理チャネルについての外側符号レート及び内側符号レートはＥ−ＭＢＭＳ物理チャネルについての全体の符号レートによって決定される。各Ｅ−ＭＢＭＳ物理チャネルについての符号化データはＥ−ＭＢＭＳ物理チャネルについての変調スキームに基づいて変調シンボルにマップされる（ブロック８２４）。各Ｅ−ＭＢＭＳ物理チャネルについての変調シンボルはさらに処理され（例えば、ＯＦＤＭ変調され）、Ｅ−ＭＢＭＳチャネルへ割り当てられたタイムスロットに多重化される（ブロック８２６）。他の無線技術（例えば、Ｗ−ＣＤＭＡ）を使用する送られるべきデータがさらに処理され（例えば、符号化され、インターリーブされ、変調される）（ブロック８２８）、この無線技術に割り当てられたタイムスロット上に多重化される（ブロック８３０）。
【００５３】
図９は基地局１１０及び端末１２０の実施の形態のブロック図を示す。基地局１１０では、伝送（ＴＸ）データプロセッサ９１０はＷ−ＣＤＭＡで伝送されるべきトラフィックデータを受信し処理し、Ｗ−ＣＤＭＡのための符号化されたデータを生成する。Ｗ−ＣＤＭＡ変調器９１２はＷ−ＣＤＭＡ符号化されたデータを処理し、各Ｗ−ＣＤＭＡスロットについてＷ−ＣＤＭＡ波形を生成する。Ｗ−ＣＤＭＡ変調器９１２による処理は（１）各Ｗ−ＣＤＭＡ物理チャネルについての符号化されたデータを変調シンボルにマッピングし、（２）直交シーケンスで各物理チャネルについて変調シンボルをチャネライジングし、（３）スクランブルコードで各物理チャネルについてチャネライズされたシンボルをスクランブリングし、（４）各物理チャネルについてチャネライズされたシンボルをスクランブリングすることを含む。ＴＸデータプロセッサ９２０はＯＦＤＭを使用する送られるべきトラフィックデータを受信して処理し、データ及びパイロット信号を生成する。データプロセッサ９２０は図５に示すように実現される。ＯＦＤＭ変調器９２２はデータ及びパイロットシンボル上でＯＦＤＭ変調を実行し、ＯＦＤＭシンボルを生成し、各Ｅ−ＭＢＭＳスロットについてＯＦＤＭ波形を形成する。マルチプレクサ（Ｍｕｘ）９２４はＷ−ＣＤＭＡ波形をＷ−ＣＤＭＡスロット上に多重化し、ＯＦＤＭ波形をＥ−ＭＢＭＳスロット上に多重化して出力信号を供給する。伝送ユニット（ＴＭＴＲ）９２６は出力信号を調整し（例えば、アナログ変換、フィルタ、増幅及び周波数アップコンバート）、アンテナ９２８から送信された変調された信号を生成する。
【００５４】
端末１２０では、アンテナ９５２は基地局１１０によって伝送される変調された信号を受信し、受信した信号を受信ユニット（ＲＣＶＲ）９５４に供給する。受信ユニット９５４は受信した信号を調整し、デジタル化し及び処理し、サンプルのストリームを出マルチプレクサ（Ｄｅｍｕｘ）９５６に供給する。デマルチプレクサ９５６はＷ−ＣＤＭＡスロットにおけるサンプルをＷ−ＣＤＭＡ復調器（Ｄｅｍｕｘ）９６０に供給し、Ｅ−ＭＢＭＳスロットにおけるサンプルをＯＦＤＭ復調器９７０に供給する。Ｗ−ＣＤＭＡ復調器９６０はＣＤＭＡ変調器９１２による処理の補足的な手法で受信したサンプルを処理し、シンボル推定を与える。受信（ＲＸ）データプロセッサ９６２はシンボル推定を処理し（例えば、復調し、デインターリブし、復号し）、Ｗ−ＣＤＭＡについて復号されたデータを供給する。ＯＦＤＭ復調器９７０は受信したサンプル上でＯＦＤＭ復調を実行し、データシンボル推定を提供する。ＲＸデータプロセッサ９７２はデータシンボル推定を処理し、ＯＦＤＭについて復号されたデータを供給する。一般的に、端末１２０での処理は基地局１１０での処理に対して補足的である。
【００５５】
コントローラ９３０、９８０は基地局１１０及び端末１２０での動作をそれぞれ管理する。メモリユニット９３２、９８２は、コントローラ９３０、９８０によって使用されるプログラムコード及びデータをそれぞれ格納する。コントローラ９３０及び／又はスケジューラ９３４はダウンリンク及びアップリンクのためのタイムスロットを割り当て、各タイムスロットのためにＷ−ＣＤＭＡ或いはＯＦＤＭを使用するかを決定し、タイムスロットをＥ−ＭＢＭＳ物理チャネルに割り当てる。コントローラ９３０は種々のコントロールを生成し、Ｅ−ＭＢＭＳ物理チャネルについての符号化及び変調を管理する。
【００５６】
図１０はＷ−ＣＤＭＡ  ＴＸデータプロセッサ９１０の実施の形態のブロック図である。各トランスポートチャネル（ＴｒＣＨ）のためのデータは、トランスポートブロックにおいて、それぞれの処理セクション１０１０に供給される。各セクション１０１０においては、ＣＲＣ値は各トランスポートブロックについて生成され、トランスポートブロックに付けられる（ブロック１０１２）。ＣＲＣ符号化ブロックは直列的に連結され、次に、等しい大きさの符号ブロックに分割される（ブロック１０１４）。各符号ブロックは符号スキーム（例えば、畳み込み符号或いはターボ符号）で符号され、或いは全く符号化されない（ブロック１０１６）。無線フレーム等化は、出力が同サイズのデータセグメントの整数倍に区分されるように、入力ビットシーケンスを埋め込むために実行される（ブロック１０１８）。このビットは、次に、１、２、４、或いは８（１０ｍｓ）無線フレームにわたって、時間ダイバーシティを供給するようにインターリーブされる（ブロック１０２０）。インターリーブされたビットは、区分され、１０ｍｓＴｒＣＨ無線フレーム上にマップされる（ブロック１０２２）。レートマッチングは、次に、より上位のレイヤによって提供されたレートマッチングパラメータにしたがって、このビット上で実行される（ブロック１０２４）。
【００５７】
全てのプロセスセクション１０１０からのＴｒＣＨ無線フレームは、符号化された合成トランスポートチャネル（ＣＣＴｒＣＨ）に直列的に多重化される（ブロック１０３２）。ビットスクランブルは、次にビットをランダマイズするために実行される（ブロック１０３４）。１つ以上の物理チャネルが使用される場合には、次にビットが物理チャネルの間で区切られる（ブロック１０３６）。各物理チャネルについての各無線フレームにおけるビットはさらなる時間ダイバーシティを提供するためにインターリーブされる（ブロック１０３８）。このインターリーブされた物理チャネル無線フレームは次に適切な物理チャネルにマップされる（ブロック１０４０）。
【００５８】
Ｗ−ＣＤＭＡについてのＴＸデータプロセッサ９１０による処理は、３ＧＰＰ  ＴＳ  ２５．２１２において述べられている。Ｗ−ＣＤＭＡ変調器９１２による処理は、３ＧＰＰ  ＴＳ  ２５．２１３において詳細に述べられている。これらの文献は、公的に入手可能である。
【００５９】
図１１はターボ符号器５１８ａの実施の形態を示し、このターボ符号器は図５におけるチャネル符号化ブロック５１８のために使用される。この実施の形態においては、ターボ符号器５１８は１／３レート符号器であり、各入力ビットｘについて２つのパリティビットｚ、ｚ’を提供する。ターボ符号器５１８ａは２つの構成要素となる符号器１１２０ａ、１１２０ｂ、及び符号インターリーバ１１３０を有する。各構成要素符号器１１２０は以下の構成要素符号を実行する。
【００６０】
Ｇ（Ｄ）＝［１，ｇ０（Ｄ）／ｇ１（Ｄ）］，
ここで、ｇ０（Ｄ）＝１＋Ｄ２＋Ｄ３、ｇ１（Ｄ）＝１＋Ｄ＋Ｄ３である。他の構成要素符号もまた使用される。他の符号レート（例えば、１／５レート）もまたターボ符号器に使用される。
【００６１】
各構成要素符号器１１２０は３つの直列に連結された遅れ要素１１２６ａ、１１２６ｂ及び１１２６ｃ、４つのモジュロ−２加算器１１２４、１１２８ａ、１１２８ｂ及び１１２８ｃ及びスイッチ１１２２を有している。最初に、遅れ要素１１２６ａ、１１２６ｂ及び１１２６ｃはゼロにセットされ、スイッチ１１２２は”上"位置にある。次に、符号ブロックにおける各入力ビットについて、加算器１１２４は加算器１１２８ｃからの出力ビットと入力ビットのモジュロ−２加算を実行し、その結果を遅れ要素１１２６ａに供給する。加算器１１２８ｂは、加算器１１２８ａ及び送れ要素１１２６ｃからのビットのモジュロ−２加算を実行し、パリティビットｚを供給する。加算器１１２６ｃは、遅れ要素１１２６ｂ、１１２６ｃからのモジュロ−２加算を実行する。符号ブロックにおける全ての入力ビットが符号化された後に、スイッチ１１２２は”下”位置に動き、３つのゼロ（０）ビットが構成要素符号器１１２０ａに供給される。構成要素符号器１１２０ａは次に３つのゼロビットを符号化し、３つの末尾システマティックビット及び３つの末尾パリティビットを供給する。
【００６２】
Ｗ個の入力ビットｘについての各符号ブロックについては、構成要素符号器１１２０ａはＷ個の入力ビットｘ、最初の３つの末尾システマティックビット、Ｗ個のパリティビットｚ及び最初の３つの末尾パリティビットを供給する。構成要素符号器１１２０ｂは第２番目の３つの末尾システマティックビット及びＷ個のパリティティビットｚ’及び最後の３つの末尾パリティビットを供給する。各符号ブロックについては、ターボ符号器５１８ａは構成要素符号器１１２０ａからのＷ個の入力ビット、６つの末尾システマティックビット、Ｗ＋３個のパリティビット供給し、構成要素符号器１１２０ｂからのＷ＋３個のパリティビットｚ’を供給する。
【００６３】
符号インターリーバ１１３０は、符号ブロックにおけるＷ個の入力ビットを記録し、前述した３ＧＰＰ  ＴＳ  ２５．２１２において実行される。
【００６４】
ここにおいて述べられる伝送技術は、種々の手法によって実現される。例えば、これら技術はハードウェア、ソフトウェア或いはこれらの組み合わせによって実現される。ハードウェアによる実現については、これら技術については、タイムスロットの物理チャネルへの割り当てに使用され、伝送のためのデータの処理に使用される処理ユニットは１つ以上の特定用途回路（ＡＳＩＣｓ）、デジタル信号プロセッサ（ＤＳＰｓ）、デジタル信号プロセッシングデバイス（ＤＳＰＤＳｓ）、プログラマブルロジックデバイス（ＰＬＤｓ）、フィールドプログラマブルゲートアレイ（ＦＰＧＡｓ）、プロセッサ、コントローラ、マイクロコントローラ、マイクロプロセッサ、電子装置、ここにおいて述べられた機能を実行するために設計された他の電子装置、或いはこれらの組み合わせによって実現される。
【００６５】
ソフトウェアによる実現については、伝送技術はここにおいて述べられた機能を実行するモジュール（例えば、プロシジャー（手続）、ファンクションなど）で実現される。ソフトウェアコードはメモリユニット（例えば、図９におけるメモリユニット９３２、９３８）に格納され、プロセッサ（例えば、コントローラ９３０或いは９８０）によって実行される。メモリユニットはプロセッサ内或いはプロセッサの外部に実現され、公知の種々の手段を介してプロセッサに通信可能に接続されている。
【００６６】
開示された実施の形態の以前の記述は、本技術分野における当業者に本発明を作らせ、使用させることを可能にする。これら実施の形態に対する種々の変形は当業者にとって容易に明らかであり、ここにおいて述べられた一般的な原理は、本発明の観点及び精神を離れることなく他の実施の形態に適用することができる。したがって、本発明はここにおいて示された実施の形態に限定される意図ではなく、ここにおいて開示された原則及び新規な特徴と一致する最も広い観点にしたがうものである。
【図１】
2011091817.tif 000006
【図２】
2011091817.tif 000007
【図３】
2011091817.tif 000008
【図４】
2011091817.tif 000009
【図５】
2011091817.tif 000010
【図６】
2011091817.tif 000011
【図７】
2011091817.tif 000012
【図８】
2011091817.tif 000013
【図９】
2011091817.tif 000014
【図１０】
2011091817.tif 000015
【図１１】
2011091817.tif 000016
【手続補正書】
【提出日】平成22年12月8日(2010.12.8)
【手続補正１】
【補正対象書類名】特許請求の範囲
【補正対象項目名】全文
【補正方法】変更
【補正の内容】
【特許請求の範囲】
【請求項１】
複数のタイムスロットが含まれるスーパフレームにおいて送信される少なくとも１つの物理チャネルを認識し、スーパフレームにおける少なくとも２つのタイムスロットを前記少なくとも１つの物理チャネルのそれぞれに割り当て、各物理チャネルについての複数の異なるトランスポートブロックサイズの中からトランスポートブロックサイズを選択し、前記各物理チャネルについて選択されたトランスポートブロックサイズに基づいて前記少なくとも１つの物理チャネルのそれぞれのための符号化及び変調を選択するコントローラと、
前記物理チャネルについて選択された符号化及び変調に基づいて、各物理チャネルについてのデータを処理し、各物理チャネルについて処理されたデータを前記物理チャネルに割り当てられた少なくとも２つのタイムスロットに多重化するプロセッサとを具備し、
前記スーパフレームは、少なくとも２つの外側フレームを有し、各外側フレームは複数のフレームを有し、各フレームは複数のタイムスロットを有し、各物理チャネルに割り当てられた前記少なくとも２つのタイムスロットは前記スーパフレームの各外側フレームの少なくとも１つのフレームにおける少なくとも１つのタイムスロットを有する装置。
【請求項２】
各物理チャネルは最小スロット割り当ての整数倍に割り当てられ、前記最小スロット割り当てはスーパフレームの各外側フレームの少なくとも１つのフレームにおける１つのタイムスロットである請求項１記載の装置。
【請求項３】
１つのトランスポートブロックはスーパフレームにおける各最小スロット割り当てのために送られる請求項２記載の装置。
【請求項４】
各物理チャネルは、Ｍタイムスロットだけ均一に離れたＫ個のタイムスロットに割り当てられる請求項１記載の装置。
【請求項５】
各物理チャネルについての符号化及び変調は、前記スーパフレームの持続時間のために固定され、前記最小スロットの割当ては、タイムスロットの定義された数であり、特定の物理チャネルについての符号化及び変調は、トランスポートブロックが、前記最小スロット割当てについてのタイムスロットの定義された数において前記物理チャネル上で送られることができるように選択される請求項３記載の装置。
【請求項６】
前記プロセッサは前記物理チャネルについて選択された全体的な符号レートに基づいて、各物理チャネルについてのデータを符号化し、さらに、前記物理チャネルについて選択された変調スキームに基づいて、各物理チャネルについて符号化されたデータを変調シンボルにマップする請求項１記載の装置。
【請求項７】
前記プロセッサは、外側符号レートに基づいて各物理チャネルについてのデータを選択的に符号化して、各物理チャネルについての外側符号化されたデータを生成し、さらに、内側符号レートに基づいて各物理チャネルについて外側符号化されたデータを符号化し、前記各物理チャネルについての符号化されたデータを生成する請求項６記載の装置。
【請求項８】
各物理チャネルについての外側符号レート及び内側符号レートは前記物理チャネルについて選択された全体的な符号レートによって決定される請求項７記載の装置。
【請求項９】
前記プロセッサは、リードソロモン符号に基づいて、各物理チャネルについてのデータを選択的に符号化して、物理チャネルについての外側符号化されたデータを生成し、さらに、ターボ符号に基づいて、各物理チャネルについての外側符号化されたデータを符号化し、前記物理チャネルについての符号化されたデータを生成する請求項１記載の装置。
【請求項１０】
前記物理チャネルについて処理されたデータに基づいて、各物理チャネルについての直交周波数分割多重化（ＯＦＤＭ）シンボルを生成する変調器をさらに具備する請求項１記載の装置。
【請求項１１】
前記コントローラは、スーパフレームにおける各複数のタイムスロットについての少なくとも２つの無線技術の中から無線技術を選択し、前記プロセッサは少なくとも２つの無線技術の中の第１の無線技術に基づいて少なくとも１つの物理チャネルを処理する請求項１記載の装置。
【請求項１２】
第２の無線技術を使用して送られるデータを処理し、前記第２の無線技術のために処理されたデータを前記第２の無線技術に割り当てられたタイムスロットに多重化する第２のプロセッサをさらに具備する請求項１１記載の装置。
【請求項１３】
前記少なくとも２つの無線技術は、直交周波数分割多重（ＯＦＤＭ）及び広帯域符号分割多重アクセス（Ｗ−ＣＤＭＡ）を含む請求項１１記載の装置。
【請求項１４】
基地局により、複数のタイムスロットが含まれるスーパフレームにおいて送信される少なくとも１つの物理チャネルを認識し、前記スーパフレームは、少なくとも２つの外側フレームを有し、各外側フレームは複数のフレームを有し、各フレームは複数のタイムスロットを有し、
前記基地局により、スーパフレームにおける少なくとも２つのタイムスロットを前記少なくとも１つの物理チャネルのそれぞれに割り当て、各物理チャネルに割り当てられた前記少なくとも２つのタイムスロットは前記スーパフレームの各外側フレームの少なくとも１つのフレームにおける少なくとも１つのタイムスロットを有し、
前記基地局により、各物理チャネルについての複数の異なるトランスポートブロックサイズの中からトランスポートブロックサイズを選択し、
前記基地局により、前記各物理チャネルについて選択されたトランスポートブロックサイズに基づいて前記少なくとも１つの物理チャネルのそれぞれのための符号化及び変調を選択し、
前記基地局により、前記物理チャネルについて選択された符号化及び変調に基づいて、各物理チャネルについてのデータを処理し、
前記基地局により、各物理チャネルについて処理されたデータを前記物理チャネルに割り当てられた少なくとも２つのタイムスロットに多重化することを含む無線通信システムにおける伝送のためのデータを処理する方法。
【請求項１５】
各物理チャネルについてのデータを処理することは、
前記物理チャネルについて選択された全体的な符号レートに基づいて、各物理チャネルについてのデータを符号化し、
前記物理チャネルについて選択された変調スキームに基づいて、各物理チャネルについて符号化されたデータを変調シンボルにマップすることを含む請求項１４記載の方法。
【請求項１６】
各物理チャネルについてデータを符号化することは、
外側符号レートに基づいて各物理チャネルについてのデータを選択的に符号化して、各物理チャネルについての外側符号化されたデータを生成し、
内側符号レートに基づいて各物理チャネルについて外側符号化されたデータを符号化し、前記各物理チャネルについての符号化されたデータを生成することを含む請求項１５記載の方法。
【請求項１７】
第１の無線技術に基づいて少なくとも１つの物理チャネルを処理し、
第２の無線技術を使用して送られるデータを処理し、
前記第２の無線技術のために処理されたデータを前記第２の無線技術に割り当てられたタイムスロットに多重化することをさらに具備する請求項１４記載の方法。
【請求項１８】
複数のタイムスロットが含まれるスーパフレームにおいて送信される少なくとも１つの物理チャネルを認識する手段と、前記スーパフレームは、少なくとも２つの外側フレームを有し、各外側フレームは複数のフレームを有し、各フレームは複数のタイムスロットを有し、
スーパフレームにおける少なくとも２つのタイムスロットを前記少なくとも１つの物理チャネルのそれぞれに割り当てる手段と、各物理チャネルに割り当てられた前記少なくとも２つのタイムスロットは前記スーパフレームの各外側フレームの少なくとも１つのフレームにおける少なくとも１つのタイムスロットを有し、
各物理チャネルについての複数の異なるトランスポートブロックサイズの中からトランスポートブロックサイズを選択する手段と、
前記各物理チャネルについて選択されたトランスポートブロックサイズに基づいて前記少なくとも１つの物理チャネルのそれぞれのための符号化及び変調を選択する手段と、
前記物理チャネルについて選択された符号化及び変調に基づいて、各物理チャネルについてのデータを処理する手段と、
各物理チャネルについて処理されたデータを前記物理チャネルに割り当てられた少なくとも２つのタイムスロットに多重化する手段と、
を具備する装置。
【請求項１９】
各物理チャネルについてのデータを処理する手段は、
前記物理チャネルについて選択された全体的な符号レートに基づいて、各物理チャネルについてのデータを符号化する手段と、
前記物理チャネルについて選択された変調スキームに基づいて、各物理チャネルについて符号化されたデータを変調シンボルにマップする手段と
を具備する請求項１８記載の装置。
【請求項２０】
各物理チャネルについてデータを符号化する手段は、
外側符号レートに基づいて各物理チャネルについてのデータを選択的に符号化して、各物理チャネルについての外側符号化されたデータを生成する手段と、
内側符号レートに基づいて各物理チャネルについて外側符号化されたデータを符号化し、前記物理チャネルについての符号化されたデータを生成する手段とを含む請求項１９記載の装置。
【請求項２１】
第１の無線技術に基づいて少なくとも１つの物理チャネルを処理する手段と、
第２の無線技術を使用して送られるデータを処理する手段と、
前記第２の無線技術のために処理されたデータを前記第２の無線技術に割り当てられたタイムスロットに多重化する手段をさらに具備する請求項１８記載の装置。
【請求項２２】
複数のタイムスロットが含まれるスーパフレームにおいて受信される少なくとも１つの物理チャネルを認識して、スーパフレームにおける各少なくとも１つの物理チャネルに割り当てられた少なくとも２つのタイムスロットを決定し、物理チャネルについて使用される符号化及び変調を決定するコントローラと、前記スーパフレームは、少なくとも２つの外側フレームを有し、各外側フレームは複数のフレームを有し、各フレームは複数のタイムスロットを有し、各物理チャネルに割り当てられた前記少なくとも２つのタイムスロットは前記スーパフレームの各外側フレームの少なくとも１つのフレームにおける少なくとも１つのタイムスロットを有し、各物理チャネルについての符号化及び変調は、各物理チャネルについての複数の異なるトランスポートブロックサイズの中から選択されたトランスポートブロックサイズに基づいて選択され、
物理チャネルに割り当てられた少なくとも２つのタイムスロットから各物理チャネルについての受信データを多重分離し、前記物理チャネルについて使用される符号化及び変調に基づいて各物理チャネルについての受信データを処理するプロセッサと
を具備する装置。
【請求項２３】
各物理チャネルは最小スロット割り当ての整数倍に割り当てられ、前記最小スロット割り当てはスーパフレームの各外側フレームの少なくとも１つのフレームにおける１つのタイムスロットである請求項２２記載の装置。
【請求項２４】
前記プロセッサは、物理チャネルについて選択された変調スキームに基づいて各物理チャネルについて受信したデータを復調し、さらに、物理チャネルについて選択された全体的な符号レートに基づいて、各物理チャネルについての復調されたデータを復号する請求項２２記載の装置。
【請求項２５】
前記プロセッサは、内側符号レートに基づいて各物理チャネルについて復調されたデータを復号して内側復号化されたデータを得て、さらに、外側符号レートに基づいて、内側復号化されたデータを選択的に復号して物理チャネルについて復号化されたデータを得る請求項２４記載の装置。
【請求項２６】
前記プロセッサは、ターボ符号に基づいて各物理チャネルについての変調されたデータを復号して内側復号化されたデータを得て、さらに、リードソロモン符号に基づいて内側復号化されたデータを復号して物理チャネルについて復号化されたデータを得る請求項２４記載の装置。
【請求項２７】
各物理チャネル上で受信したデータ上で直交周波数分割多重化（ＯＦＤＭ）を実行する復調器をさらに具備する請求項２２記載の装置。
【請求項２８】
前記プロセッサは、少なくとも２つの無線技術の中の第１の無線技術に従って少なくとも１つの物理チャネルについての受信したデータを処理する請求項２２記載の装置。
【請求項２９】
第２の無線技術に割り当てられたタイムスロットから前記第２の無線技術のために受信したデータを多重分離し、前記第２の無線技術にしたがって、前記第２の無線技術について前記受信したデータを処理する第２のプロセッサをさらに具備する請求項２８記載の装置。
【請求項３０】
前記第１の無線技術は直交周波数分割多重（ＯＦＤＭ）であり、前記第２の無線技術は広帯域符号分割多重アクセス（Ｗ−ＣＤＭＡ）である請求項２９記載の装置。
【請求項３１】
端末により、複数のタイムスロットが含まれるスーパフレームにおいて受信される少なくとも１つの物理チャネルを認識し、前記スーパフレームは、少なくとも２つの外側フレームを有し、各外側フレームは複数のフレームを有し、各フレームは複数のタイムスロットを有し、
前記端末により、スーパフレームにおける各少なくとも１つの物理チャネルに割り当てられた少なくとも２つのタイムスロットを決定し、各物理チャネルに割り当てられた前記少なくとも２つのタイムスロットは前記スーパフレームの各外側フレームの少なくとも１つのフレームにおける少なくとも１つのタイムスロットを有し、
前記端末により、各物理チャネルについての複数の異なるトランスポートブロックサイズの中から選択されたトランスポートブロックサイズに基づいて、各物理チャネルについて使用される符号化及び変調を決定し、
前記端末により、物理チャネルに割り当てられた少なくとも２つのタイムスロットから各物理チャネルについての受信データを多重分離し、
前記端末により、前記物理チャネルについて使用される符号化及び変調に基づいて各物理チャネルについての受信データを処理することを含む無線通信システムにおけるデータの受信方法。
【請求項３２】
前記各物理チャネルについての受信データを処理することは、
物理チャネルについて選択された変調スキームに基づいて各物理チャネルについて受信したデータを復調し、
物理チャネルについて選択された全体的な符号レートに基づいて、各物理チャネルについての復調されたデータを復号することを含む請求項３１記載の方法。
【請求項３３】
前記各物理チャネルについての復調されたデータを復号することは、
内側符号レートに基づいて各物理チャネルについて復調されたデータを復号して内側復号化されたデータを得て、
外側符号レートに基づいて、内側復号化されたデータを選択的に復号して物理チャネルについて復号化されたデータを得ることを含む請求項３２記載の方法。
【請求項３４】
第１の無線技術に従って少なくとも１つの物理チャネルについての前記受信したデータを処理し、
第２の無線技術に割り当てられたタイムスロットから前記第２の無線技術についての受信したデータを多重分離し、
前記第２の無線技術に従って前記第２の無線技術についての受信データを処理することをさらに具備する請求項３１記載の方法。
【請求項３５】
複数のタイムスロットが含まれるスーパフレームにおいて受信される少なくとも１つの物理チャネルを認識する手段と、前記スーパフレームは、少なくとも２つの外側フレームを有し、各外側フレームは複数のフレームを有し、各フレームは複数のタイムスロットを有し、
スーパフレームにおける各少なくとも１つの物理チャネルに割り当てられた少なくとも２つのタイムスロットを決定する手段と、各物理チャネルについての符号化及び変調は、各物理チャネルについての複数の異なるトランスポートブロックサイズの中から選択されたトランスポートブロックサイズに基づいて選択され、各物理チャネルに割り当てられた前記少なくとも２つのタイムスロットは前記スーパフレームの各外側フレームの少なくとも１つのフレームにおける少なくとも１つのタイムスロットを有し、
各物理チャネルについて使用される符号化及び変調を決定する手段と、
物理チャネルに割り当てられた少なくとも２つのタイムスロットから各物理チャネルについての受信データを多重分離する手段と、
前記物理チャネルについて使用される符号化及び変調に基づいて各物理チャネルについての受信データを処理する手段と
を具備する装置。
【請求項３６】
前記各物理チャネルについての受信データを処理する手段は、
物理チャネルについて選択された変調スキームに基づいて各物理チャネルについて受信したデータを復調する手段と、
物理チャネルについて選択された全体的な符号レートに基づいて、各物理チャネルについての復調されたデータを復号する手段を含む請求項３５記載の装置。
【請求項３７】
前記各物理チャネルについての復調されたデータを復号する手段は、
内側符号レートに基づいて各物理チャネルについて復調されたデータを復号して内側復号化されたデータを得る手段と、
外側符号レートに基づいて、内側復号化されたデータを選択的に復号して物理チャネルについて復号化されたデータを得る手段とを含む請求項３６記載の装置。
【請求項３８】
第１の無線技術に従って少なくとも１つの物理チャネルについての前記受信したデータを処理する手段と、
第２の無線技術に割り当てられたタイムスロットから前記第２の無線技術についての受信したデータを多重分離する手段と、
前記第２の無線技術に従って前記第２の無線技術についての受信データを処理する手段とをさらに具備する請求項３５記載の装置。
【請求項３９】
無線通信システムにおける伝送のためのデータを処理する命令を有するプロセッサ読み取り可能なメモリであって、前記命令は、プロセッサによって、
複数のタイムスロットが含まれるスーパフレームにおいて送信される少なくとも１つの物理チャネルを認識し、前記スーパフレームは、少なくとも２つの外側フレームを有し、各外側フレームは複数のフレームを有し、各フレームは複数のタイムスロットを有し、
スーパフレームにおける少なくとも２つのタイムスロットを前記少なくとも１つの物理チャネルのそれぞれに割り当て、各物理チャネルに割り当てられた前記少なくとも２つのタイムスロットは前記スーパフレームの各外側フレームの少なくとも１つのフレームにおける少なくとも１つのタイムスロットを有し、
各物理チャネルについての複数の異なるトランスポートブロックサイズの中からトランスポートブロックサイズを選択し、
前記各物理チャネルについて選択されたトランスポートブロックサイズに基づいて前記少なくとも１つの物理チャネルのそれぞれのための符号化及び変調を選択し、
前記物理チャネルについて選択された符号化及び変調に基づいて、各物理チャネルについてのデータを処理し、
各物理チャネルについて処理されたデータを前記物理チャネルに割り当てられた少なくとも２つのタイムスロットに多重化するように実行可能であるメモリ。
【請求項４０】
無線通信システムにおける伝送のためのデータを処理する命令を有するプロセッサ読み取り可能なメモリであって、前記命令は、プロセッサによって、
複数のタイムスロットが含まれるスーパフレームにおいて送信される少なくとも１つの物理チャネルを認識し、前記スーパフレームは、少なくとも２つの外側フレームを有し、各外側フレームは複数のフレームを有し、各フレームは複数のタイムスロットを有し、
スーパフレームにおける少なくとも１つの各物理チャネルに割り当てられた少なくとも２つのタイムスロットを決定し、各物理チャネルに割り当てられた少なくとも２つのタイムスロットは、前記スーパフレームの各外側フレームの少なくとも１つのフレームにおける少なくとも１つのタイムスロットを有し、
各物理チャネルについて使用された符号化及び変調を決定し、前記各物理チャネルについて使用された符号化及び変調は、各物理チャネルについての複数の異なるトランスポートブロックサイズの中から選択されたトランスポートブロックサイズに基づいて選択され、
前記物理チャネルに割り当てられた前記少なくとも２つのタイムスロットから書く物理チャネルについての受信データを多重分離し、
前記物理チャネルについて使用される符号化及び変調に基づいて、各物理チャネルについての受信データを処理するように実行可能であるメモリ。
【請求項４１】
前記コントローラは各物理チャネルの容量を決定し、さらに、前記物理チャネルの容量に基づいて各物理チャネルの符号化及び変調を選択する請求項１記載の装置。
【請求項４２】
前記少なくとも１つの物理チャネルについてのそれぞれのための符号化及び変調を選択することは、
各物理チャネルの容量を決定し、
前記物理チャネルの容量に基づいて各物理チャネルの符号化及び変調を選択する請求項１４記載の方法。
【請求項４３】
前記少なくとも１つの物理チャネルについてのそれぞれのための符号化及び変調を選択することは、
各物理チャネルの容量を決定する手段と、
前記物理チャネルの容量に基づいて各物理チャネルの符号化及び変調を選択する手段と
を具備する請求項１８記載の装置。
【外国語明細書】
2011091817000001.pdf